(57)【要約】【課題】  ネットワーク上にマルチキャストフレームを通さないブリッジが存在しても、その先の装置に自装置の存在を通知することが可能なネットワーク機器を提供する。【解決手段】  ネットワーク機器（１０）は、受信したフレームから送信元のＭＡＣアドレスを抽出する抽出手段（送信元ＭＡＣアドレス抽出部１３ａ）と、抽出手段で抽出した送信元のＭＡＣアドレスを基にユニキャストアドレステーブルを作成する作成手段（ユニキャストアドレステーブル作成部１３ｂ）と、作成手段で作成されかつユニキャストアドレステーブルに保存された送信元のＭＡＣアドレスを基に作成したユニキャストＬＬＤＰフレームとマルチキャストＬＬＤＰフレームとを同時に送信する送信手段（フレーム送信部１４）とを有する。【選択図】      図１
2009239372.tif 000002
【特許請求の範囲】
【請求項１】
受信したフレームから送信元のＭＡＣ（Ｍｅｄｉａ  Ａｃｃｅｓｓ  Ｃｏｎｔｒｏｌ）アドレスを抽出する抽出手段と、
前記抽出手段で抽出した送信元のＭＡＣアドレスを基にユニキャストアドレステーブルを作成する作成手段と、
前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信手段と
を有することを特徴とするネットワーク機器。
【請求項２】
前記抽出手段は、マルチキャストフレームを含むデータリンク層の全てのフレームから前記送信元のＭＡＣアドレスを抽出することを特徴とする請求項１記載のネットワーク機器。
【請求項３】
ＬＬＤＰ機能にて標準のマルチキャストフレームに加えて、前記ユニキャストアドレステーブルに保存されたＭＡＣアドレスに対してユニキャストで送信することを特徴とする請求項１または請求項２記載のネットワーク機器。
【請求項４】
受信したフレームから送信元のＭＡＣ（Ｍｅｄｉａ  Ａｃｃｅｓｓ  Ｃｏｎｔｒｏｌ）アドレスを抽出する抽出手段と、前記抽出手段で抽出した送信元のＭＡＣアドレスを基にユニキャストアドレステーブルを作成する作成手段と、前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信手段とを含むネットワーク機器を有することを特徴とする通信システム。
【請求項５】
前記送信手段から送信されたユニキャストＬＬＤＰフレームを少なくとも送信先に転送するブリッジを含むことを特徴とする請求項４記載の通信システム。
【請求項６】
前記抽出手段は、マルチキャストフレームを含むデータリンク層の全てのフレームから前記送信元のＭＡＣアドレスを抽出することを特徴とする請求項５記載の通信システム。
【請求項７】
前記ネットワーク機器は、ＬＬＤＰ機能にて標準のマルチキャストフレームに加えて、前記ユニキャストアドレステーブルに保存されたＭＡＣアドレスに対してユニキャストで送信することを特徴とする請求項５または請求項６記載の通信システム。
【請求項８】
前記ブリッジは、前記マルチキャストフレームを転送不可のブリッジであり、前記ユニキャストＬＬＤＰフレームを前記送信先に転送することを特徴とする請求項７記載の通信システム。
【請求項９】
前記ブリッジは、前記マルチキャストフレームを転送可能なブリッジであり、前記マルチキャストＬＬＤＰフレームを前記送信先に転送することを特徴とする請求項７記載の通信システム。
【請求項１０】
受信したフレームから送信元のＭＡＣ（Ｍｅｄｉａ  Ａｃｃｅｓｓ  Ｃｏｎｔｒｏｌ）アドレスを抽出し、その抽出した送信元のＭＡＣアドレスを基にユニキャストアドレステーブルを作成し、このユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信することを特徴とする通信方法。
【請求項１１】
前記マルチキャストＬＬＤＰフレームと同時に送信されたユニキャストＬＬＤＰフレームを少なくとも送信先に転送することを特徴とする請求項１０記載の通信方法。
【請求項１２】
マルチキャストフレームを含むデータリンク層の全てのフレームから前記送信元のＭＡＣアドレスを抽出することを特徴とする請求項１１記載の通信方法。
【請求項１３】
ＬＬＤＰ機能にて標準のマルチキャストフレームに加えて、前記ユニキャストアドレステーブルに保存されたＭＡＣアドレスに対してユニキャストで送信することを特徴とする請求項１１または請求項１２記載の通信方法。
【請求項１４】
前記マルチキャストフレームを転送不可のブリッジが、前記ユニキャストＬＬＤＰフレームを前記送信先に転送することを特徴とする請求項１３記載の通信方法。
【請求項１５】
前記マルチキャストフレームを転送可能なブリッジが、前記マルチキャストＬＬＤＰフレームを前記送信先に転送することを特徴とする請求項１３記載の通信方法。
【請求項１６】
ネットワーク機器内のコンピュータに実行させるプログラムであって、
受信したフレームから送信元のＭＡＣ（Ｍｅｄｉａ  Ａｃｃｅｓｓ  Ｃｏｎｔｒｏｌ）アドレスを抽出する抽出処理と、
前記抽出手段で抽出した送信元のＭＡＣアドレスを基にユニキャストアドレステーブルを作成する作成処理と、
前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信処理とを含むことを特徴とするプログラム。
【発明の詳細な説明】
【技術分野】
【０００１】
本発明はネットワーク機器、通信システム及びそれらに用いる通信方法並びにそのプログラムに関し、特にＬＬＤＰ（Ｌｉｎｋ  Ｌａｙｅｒ  Ｄｉｓｃｏｖｅｒｙ  Ｐｒｏｔｏｃｏｌ）フレームの到達率を上げる方法に関する。
【背景技術】
【０００２】
上記のＬＬＤＰフレーム送信の流れについて図６を参照して説明する。図６において、装置（Ａ）５は、ＬＬＤＰエージェント５１によってＬＬＤＰ機能を有する。ＬＬＤＰエージェント５１で作られたマルチキャストＬＬＤＰフレーム２０１はフレーム送信部５２からブリッジ６へと送信される。
【０００３】
ここで、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１ＡＢにて規定されるＬＬＤＰでは、フレーム宛先に指定するＭＡＣ（Ｍｅｄｉａ  Ａｃｃｅｓｓ  Ｃｏｎｔｒｏｌ）アドレスが、マルチキャストを意味する「０１−８０−Ｃ２−００−００−０Ｅ」を指定するように規定されている。
【０００４】
しかしながら、ブリッジ６が、例えば、ＩＥＥＥ８０２．１Ｄに準拠している場合には、「０１−８０−Ｃ２−００−００−００〜０１−８０−Ｃ２−００−００−０Ｆ」の範囲の宛先ＭＡＣアドレスを、予約されたアドレスとみなして、そのフレームを転送しないようになっている。このため、到達したマルチキャストＬＬＤＰフレーム２０１の転送が、ブリッジ６で止まることになる。
【０００５】
このＩＥＥＥ８０２．１Ｄに準拠したブリッジ装置については、下記の特許文献１，２に記載の技術がある。
【特許文献１】特開平０８−２７４８０５号公報
【特許文献２】特開２００３−１８８８１１号公報
【発明の開示】
【発明が解決しようとする課題】
【０００６】
本発明に関連するＬＬＤＰでは、ネットワーク上に、例えば、ＩＥＥＥ８０２．１Ｄに準拠したブリッジがあった場合（例えば、特許文献１，２）、そこにマルチキャストＬＬＤＰフレームが到達すると、そこでフレーム転送がとまってしまい、そのブリッジの先にある装置にマルチキャストＬＬＤＰフレームが届かなくなるという問題がある。
【０００７】
そのため、本発明に関連するＬＬＤＰでは、送信元の装置がＩＥＥＥ８０２．１Ｄに準拠したブリッジの先にある装置に、自装置の存在を通知することができないという問題も生ずることとなる。
【０００８】
そこで、本発明の目的は上記の問題点を解消し、ネットワーク上にマルチキャストフレームを通さないブリッジが存在しても、その先の装置に自装置の存在を通知することができるネットワーク機器、通信システム及びそれらに用いる通信方法並びにそのプログラムを提供することにある。
【課題を解決するための手段】
【０００９】
本発明によるネットワーク機器は、受信したフレームから送信元のＭＡＣ（Ｍｅｄｉａ  Ａｃｃｅｓｓ  Ｃｏｎｔｒｏｌ）アドレスを抽出する抽出手段と、
前記抽出手段で抽出した送信元のＭＡＣアドレスを基にユニキャストアドレステーブルを作成する作成手段と、
前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信手段とを備えている。
【００１０】
本発明による通信システムは、受信したフレームから送信元のＭＡＣ（Ｍｅｄｉａ  Ａｃｃｅｓｓ  Ｃｏｎｔｒｏｌ）アドレスを抽出する抽出手段と、前記抽出手段で抽出した送信元のＭＡＣアドレスを基にユニキャストアドレステーブルを作成する作成手段と、前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信手段とを含むネットワーク機器を備えている。
【００１１】
本発明による通信方法は、受信したフレームから送信元のＭＡＣ（Ｍｅｄｉａ  Ａｃｃｅｓｓ  Ｃｏｎｔｒｏｌ）アドレスを抽出し、その抽出した送信元のＭＡＣアドレスを基にユニキャストアドレステーブルを作成し、このユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信している。
【００１２】
本発明によるプログラムは、ネットワーク機器内のコンピュータに実行させるプログラムであって、
受信したフレームから送信元のＭＡＣ（Ｍｅｄｉａ  Ａｃｃｅｓｓ  Ｃｏｎｔｒｏｌ）アドレスを抽出する抽出処理と、
前記抽出手段で抽出した送信元のＭＡＣアドレスを基にユニキャストアドレステーブルを作成する作成処理と、
前記作成手段で作成されかつ前記ユニキャストアドレステーブルに保存された送信元のＭＡＣアドレスを基に作成したユニキャストＬＬＤＰ（Ｌｉｎｋ  Ｌａｙｅｒ  Ｄｉｓｃｏｖｅｒｙ  Ｐｒｏｔｏｃｏｌ）フレームとマルチキャストＬＬＤＰフレームとを同時に送信する送信処理とを含むことを特徴とする。
【発明の効果】
【００１３】
本発明は、上記のような構成及び動作とすることで、ネットワーク上にマルチキャストフレームを通さないブリッジが存在しても、その先の装置に自装置の存在を通知することができるという効果が得られる。
【発明を実施するための最良の形態】
【００１４】
次に、本発明の実施の形態について図面を参照して説明する。図１は本発明の第１の実施の形態によるネットワーク機器の構成例を示すブロック図である。図１において、ネットワーク機器１０は、ユニキャストアドレステーブル１１と、ＬＬＤＰ（Ｌｉｎｋ  Ｌａｙｅｒ  Ｄｉｓｃｏｖｅｒｙ  Ｐｒｏｔｏｃｏｌ）エージェント１２と、送信元ＭＡＣ（Ｍｅｄｉａ  Ａｃｃｅｓｓ  Ｃｏｎｔｒｏｌ）アドレス抽出部１３ａと、ユニキャストテーブル作成部１３ｂと、フレーム送信部１４とを含んで構成されている。
【００１５】
ユニキャストアドレステーブル１１は、送信元のＭＡＣアドレスを保存し、ＬＬＤＰエージェント１２は、ＬＬＤＰプロトコルにしたがってＬＬＤＰフレームの送受信を行う。
【００１６】
送信元ＭＡＣアドレス抽出部１３ａは、受信したフレームから送信元のＭＡＣアドレスを抽出し、ユニキャストテーブル作成部１３ｂは、送信元ＭＡＣアドレス抽出部１３ａで抽出した送信元のＭＡＣアドレスを基にユニキャストアドレステーブル１１を作成する。フレーム送信部１４は、フレームの送信を行う。
【００１７】
図２は図１のネットワーク機器１０のフレーム送信処理を示すフローチャートである。これら図１及び図２を参照して本発明の第１の実施の形態によるネットワーク機器１０の動作について説明する。尚、図２に示す処理は、ネットワーク機器１０内の図示せぬコンピュータ［例えば、ＣＰＵ（中央処理装置）等］にプログラムを実行させることで実現される。
【００１８】
ネットワーク機器１０では、フレーム送信処理を行う際に、まず各種フレームの受信を開始し（図２ステップＳ１）、送信元ＭＡＣアドレス抽出部１３ａによって発信元のＭＡＣアドレスを抽出する（図２ステップＳ２）。ネットワーク機器１０は、ユニキャストテーブル作成部１３ｂによって、送信元ＭＡＣアドレス抽出部１３ａで抽出した発信元のＭＡＣアドレスを基にユニキャストアドレステーブル１１を作成する（図２ステップＳ３）。
【００１９】
この後、ネットワーク機器１０は、ＬＬＤＰエージェント１２を起動し、ＬＬＤＰ機能を開始する（図２ステップＳ４）。続いて、ネットワーク機器１０は、ＬＬＤＰ機能にて標準のマルチキャストフレームに加えて、ユニキャストアドレステーブル１１に保存されたＭＡＣアドレスに対してユニキャストでフレーム送信部１４から送信する（図２ステップＳ５）。
【００２０】
これによって、本実施の形態では、ネットワーク機器１０にマルチキャストをサポートしていないブリッジが接続されている場合、そのブリッジでマルチキャストＬＬＤＰフレームは止められるが、ユニキャストＬＬＤＰフレームは転送されるので、相手装置にＬＬＤＰフレームを到達させることができる。
【００２１】
図３は本発明の第１の実施の形態によるネットワーク機器１０を用いる通信システムの構成例を示すブロック図である。図３において、本発明の第１の実施の形態による通信システムは、ネットワーク機器１０を内蔵する装置（Ａ）１と、ブリッジ２と、装置（Ｂ）３とから構成されている。本実施の形態では、以下、ブリッジ２を、例えばＩＥＥＥ８０２．１Ｄに準拠し、マルチキャストをサポートしていないブリッジとして説明するが、ブリッジ２はこれに限定されない。
【００２２】
装置（Ａ）１は、ユニキャストアドレステーブル１１と、ＬＬＤＰエージェント１２と、フレーム受信部１３と、フレーム送信部１４とから構成されている。尚、フレーム受信部１３には、図１の送信元ＭＡＣアドレス抽出部１３ａと、ユニキャストテーブル作成部１３ｂとを備えている。
【００２３】
フレーム受信部１３及びフレーム送信部１４は、それぞれフレームの受信と送信とを行う。ユニキャストテーブル１１は、フレーム受信部１３で受信したフレームから抽出された送信元のＭＡＣアドレスを保存する。ＬＬＤＰエージェント１２は、ＬＬＤＰプロトコルにしたがってＬＬＤＰフレームの送受信を行う。
【００２４】
上記のように、ブリッジ２がＩＥＥＥ８０２．１Ｄに準拠したタイプの場合には、「０１−８０−Ｃ２−００−００−００〜０１−８０−Ｃ２−００−００−０Ｆ」の範囲の宛先ＭＡＣアドレスを予約されたアドレスとみなして、そのフレームを転送しない。
【００２５】
図４は本発明の第１の実施の形態による通信システムの動作を示すシーケンスチャートである。これら図３及び図４を参照して本発明の第１の実施の形態による通信システムの動作について説明する。尚、図４における装置（Ａ）１の処理動作は、上記のネットワーク機器１０の場合と同様に、図示せぬコンピュータにプログラムを実行させることで実現される。
【００２６】
まず、装置（Ａ）１においては、フレーム受信部１３にて各種フレーム１０１の受信を開始する（図４のａ１）。ここで、各種フレームとは、ＬＬＤＰフレームに限らず、データリンク層の全てのフレームを意味する。これによって、フレーム受信部１３では、１つでも多くのＭＡＣアドレスを収集することができ、ＭＡＣアドレスの収集数が多いほど、結果的にＬＬＤＰフレームの到達率が上がることになる。
【００２７】
装置（Ａ）１のフレーム受信部１３は、受信したフレームから発信元のＭＡＣアドレスを抽出し、そのＭＡＣアドレスをユニキャストアドレステーブル１１に保存する（図４のａ２）。
【００２８】
次に、装置（Ａ）１では、任意のタイミングで［例えば、一定周期、あるいは装置（Ａ）１における処理負荷が小さい時等］、ＬＬＤＰエージェント１２が起動されると、ＬＬＤＰ機能が開始される（図４のａ３）。装置（Ａ）１のＬＬＤＰエージェント１２は、標準のマルチキャストＬＬＤＰフレーム１０２に加えて、ユニキャストアドレステーブル１１に保存されたＭＡＣアドレスに対してもユニキャストでＬＬＤＰフレーム１０３を送信する（図４のａ４）。
【００２９】
ブリッジ２には、マルチキャストＬＬＤＰフレーム１０２とユニキャストＬＬＤＰフレーム１０３とが届く（図４のａ５，ａ６）。この時、ブリッジ２では、上記のように、ＩＥＥＥ８０２．１Ｄに準拠しているので、マルチキャストＬＬＤＰフレーム１０２を転送しないが、ユニキャストＬＬＤＰフレーム１０３を転送する（図４のａ７）。その後、装置（Ｂ）３には、ユニキャストＬＬＤＰフレーム１０３が到着する（図４のａ８）。
【００３０】
このように、本実施の形態では、送信したＬＬＤＰフレームが、マルチキャストをサポートしていないブリッジ２を通る場合でも、そのＬＬＤＰフレームをブリッジ２で転送させることができる。これによって、本実施の形態では、マルチキャストＬＬＤＰフレーム１０２では届けられない相手装置に対しても、ブリッジ２を通してＬＬＤＰフレームを届けることができる。
【００３１】
また、本実施の形態では、ユニキャストアドレステーブル１１に保存するＭＡＣアドレスが多ければ多いほど、それだけフレームを届けられることによって、近隣の装置等に自装置の存在を周知する確率が向上することとなる。
【００３２】
本発明の第２の実施の形態としては、その基本的構成が上記の図３に示す本発明の第１の実施の形態と同様であるが、ネットワーク上のブリッジがマルチキャストサポートからマルチキャスト無しサポートに入れ替えられた場合について示している。
【００３３】
図５は本発明の第２の実施の形態による通信システムの動作を示す図である。図５において、装置（Ａ）１と装置（Ｂ）３との間にあるブリッジ４は、例えばＩＥＥＥ８０２．１Ｄに準拠していない、マルチキャストフレームを通すブリッジであるものとするが、これに限定されない。
【００３４】
本実施例では、装置（Ａ）１が送信するマルチキャストＬＬＤＰフレーム１０２がブリッジ４経由で装置（Ｂ）３に到達する。よって、装置（Ｂ）３は、このマルチキャストＬＬＤＰフレーム１０２によって装置（Ａ）１の存在を知る。
【００３５】
また逆に、本実施例では、装置（Ｂ）３が送信したマルチキャストＬＬＤＰフレーム１０４もブリッジ４経由で装置（Ａ）１に到達する。よって、装置（Ａ）１は、そのマルチキャストＬＬＤＰフレーム１０４によって装置（Ｂ）３の存在を知る。ここまでの動作は、ＬＬＤＰの標準的な動作である。
【００３６】
ここで、装置（Ａ）１は、装置（Ｂ）３からマルチキャストＬＬＤＰフレーム１０４を受け取った時に、フレーム受信部１３にて発信元のＭＡＣアドレスを抽出し、ユニキャストアドレステーブル１１に保存する。
【００３７】
したがって、ＬＬＤＰエージェント１２は、それまでのマルチキャストＬＬＤＰフレーム１０２に加えて、ユニキャストアドレステーブル１１に追加された装置（Ｂ）３のＭＡＣアドレスを宛先としたユニキャストＬＬＤＰフレーム１０３を送信する。そのユニキャストＬＬＤＰフレーム１０３は、ブリッジ４経由で装置（Ｂ）３に到達する。
【００３８】
あるタイミングで、ブリッジ４が、例えばＩＥＥＥ８０２．１Ｄに準拠していないものから準拠したものに入れ替えられ、マルチキャストをサポートしなくなると、ブリッジ４では、受信したマルチキャストフレームを転送しなくなる。したがって、この場合には、装置（Ａ）１から送信されるマルチキャストＬＬＤＰフレーム１０２が、ブリッジ４から装置（Ｂ）３に届かなくなる。
【００３９】
しかしながら、本実施例では、装置（Ａ）１がマルチキャストＬＬＤＰフレーム１０２に加えて、ユニキャストＬＬＤＰフレーム１０３を送信しているので、そのユニキャストＬＬＤＰフレーム１０３がブリッジ４にて転送されて装置（Ｂ）３へと到達する。よって、装置（Ｂ）３は、継続して装置（Ａ）１の存在を知ることができる。
【００４０】
上記のように、本発明は、ＬＬＤＰフレームを送信する時、マルチキャストに加えて、ユニキャストでも送信することによって、マルチキャストをサポートしていないブリッジが送信先の装置との間に介在していても、そのブリッジから送信先の装置にユニキャストで転送されるため、ＬＬＤＰフレームの到達率を上げることができる。
【００４１】
つまり、送信元の装置（Ａ）１は、ＬＬＤＰフレームを送信する時、マルチキャストＬＬＤＰフレーム１０２と装置（Ｂ）３のアドレスを宛先とするユニキャストフレーム１０３との２つのフレームを同時に送信する。
【００４２】
これらのフレームがネットワーク上のブリッジ２に到達した時、マルチキャストＬＬＤＰフレーム１０２は、そのブリッジ２で廃棄されてしまうが、ユニキャストＬＬＤＰフレーム１０３は、ブリッジ２で転送され、装置（Ｂ）３へと到達する。これによって、本発明では、ＬＬＤＰでのフレーム到達率を上げることができる。
【産業上の利用可能性】
【００４３】
本発明は、ＬＬＤＰ機能を有する装置が存在するネットワークにおいて、自装置の存在通知を少しでも多くの装置に行いたい場合に適用することができる。
【図面の簡単な説明】
【００４４】
【図１】本発明の第１の実施の形態によるネットワーク機器の構成例を示すブロック図である。
【図２】図１のネットワーク機器のフレーム送信処理を示すフローチャートである。
【図３】本発明の第１の実施の形態によるネットワーク機器１０を用いる通信システムの構成例を示すブロック図である。
【図４】本発明の第１の実施の形態による通信システムの動作を示すシーケンスチャートである。
【図５】本発明の第２の実施の形態による通信システムの動作を示す図である。
【図６】本発明に関連する通信システムの構成例を示すブロック図である。
【符号の説明】
【００４５】
１  装置（Ａ）
２，４  ブリッジ
３  装置（Ｂ）
１０  ネットワーク機器
１１  ユニキャストアドレステーブル
１２  ＬＬＤＰエージェント
１３  フレーム受信部
１３ａ  送信元ＭＡＣアドレス抽出部
１３ｂ  ユニキャストテーブル作成部
１４  フレーム送信部
１０１  各種フレーム
１０２，１０４  マルチキャストＬＬＤＰフレーム
１０３  ユニキャストでＬＬＤＰフレーム
【図１】
2009239372.tif 000003
【図２】
2009239372.tif 000004
【図３】
2009239372.tif 000005
【図４】
2009239372.tif 000006
【図５】
2009239372.tif 000007
【図６】
2009239372.tif 000008